(57)【要約】 【課題】ＬＥＤ表示基板側でＬＥＤのランクに対応するようにし、無駄な部品が生じたり、現場でのスイッチの切替などの必要のないＬＥＤ式信号灯器を提供する。【解決手段】商用電源Ｐを整流して信号用の灯光を発するＬＥＤ１２（発光ダイオード）に電力を供給するようにしたＬＥＤ式信号灯器１０であって、商用電源Ｐを整流する全波整流部３０と、定電流部４０と、該定電流部４０から電力を受けるＬＥＤ表示基板５０とを備え、定電流部４０は、前記全波整流部３０の出力を受け、定電圧素子による基準電圧を出力半導体ＴＲ１に印加することにより、前記ＬＥＤ１２へ電力を供給するものであり、ＬＥＤ表示基板５０に、ＬＥＤ１２のランクに応じて光度調整をするための調整抵抗５１を実装した。【選択図】図１
2005285531.tif 000002
【特許請求の範囲】
【請求項１】
商用電源を整流して信号用の灯光を発するＬＥＤ（発光ダイオード）に電力を供給するようにしたＬＥＤ式信号灯器であって、
商用電源を整流する全波整流部と、定電流部と、該定電流部から電力を受けるＬＥＤ表示基板とを備え、
前記定電流部は、前記全波整流部の出力を受け、定電圧素子による基準電圧を出力半導体に印加することにより、前記ＬＥＤへ電力を供給するものであり、
前記ＬＥＤ表示基板に、ＬＥＤのランクに応じて光度調整をするための調整抵抗を実装したことを特徴とするＬＥＤ式信号灯器。
【発明の詳細な説明】
【技術分野】
【０００１】
本発明は、商用電源を整流して信号用の灯光を発するＬＥＤ（発光ダイオード）に電力を供給するようにしたＬＥＤ式信号灯器に関する。
【背景技術】
【０００２】
従来の技術としては、例えば特許文献１に示すようなものがある。  
すなわち、特許文献１の特開２００３−２０９２８７号公報には、ＬＥＤ電流が１／２になってもエンコーダが正常に動作するか否かの検査を行なうため、ＬＥＤのランクに応じて固定抵抗の抵抗値を設定するのではなく、ＬＥＤ電流が流れるラインに微小抵抗を直列に設け、この微小抵抗に対して自動的に電流を調整する機能を有する分流のためのブロックを並列に接続し、ＬＥＤのランクに拘わらず自動的にＬＥＤ電流を約１／２に維持することができるようにしたＬＥＤ電流調整治具に関する技術が開示されている。
【０００３】
【特許文献１】特開２００３−２０９２８７号公報
【発明の開示】
【発明が解決しようとする課題】
【０００４】
しかしながら、このような従来の技術では、単に、ＬＥＤ電流が１／２になってもエンコーダが正常に動作するか否かの検査を行なうだけであるので、実装したＬＥＤが適切に動作して発光させるための調整抵抗に関する工夫がなされておらず、実装回路での調整抵抗の装着の煩雑さは解消しないという問題点があった。
【０００５】
本発明は、このような従来の技術が有する問題点に着目してなされたもので、ＬＥＤ表示基板側でランクに対応するようにし、無駄な部品が生じたり、現場でのスイッチの切替などの必要のないＬＥＤ式信号灯器を提供することを目的としている。
【課題を解決するための手段】
【０００６】
かかる目的を達成するための本発明の要旨とするところは、次の発明に存する。  
商用電源（Ｐ）を整流して信号用の灯光を発するＬＥＤ（１２）（発光ダイオード）に電力を供給するようにしたＬＥＤ式信号灯器（１０）であって、
商用電源（Ｐ）を整流する全波整流部（３０）と、定電流部（４０）と、該定電流部（４０）から電力を受けるＬＥＤ表示基板（５０）とを備え、
前記定電流部（４０）は、前記全波整流部（３０）の出力を受け、定電圧素子による基準電圧を出力半導体（ＴＲ１）に印加することにより、前記ＬＥＤ（１２）へ電力を供給するものであり、
前記ＬＥＤ表示基板（５０）に、ＬＥＤ（１２）のランクに応じて光度調整をするための調整抵抗（５１）を実装したことを特徴とするＬＥＤ式信号灯器（１０）。
【０００７】
前記本発明は次のように作用する。  
本発明に係るＬＥＤ式信号灯器（１０）は、商用電源（Ｐ）を整流して信号用の灯光を発するＬＥＤ（１２）に電力を供給する。つまり、定電流部（４０）は、全波整流部（３０）の出力を受け、定電圧素子による基準電圧を出力半導体に印加することにより、ＬＥＤ（１２）へ電力を供給する。
【０００８】
ＬＥＤ表示基板（５０）には同一のランクのＬＥＤ（１２）が実装され、このＬＥＤ（１２）のランクに応じて光度調整をするための調整抵抗（５１）がＬＥＤ表示基板（５０）に実装されているので、ＬＥＤ式信号灯器（１０）の製造にあたり、駆動する回路側での調整は不要である。
【発明の効果】
【０００９】
本発明に係るＬＥＤ式信号灯器によれば、ＬＥＤのランクに応じて光度調整をするための調整抵抗をＬＥＤ表示基板に実装したので、ＬＥＤ式信号灯器の製造にあたり、駆動する回路側での調整は不要であり、無駄な部品が発生せず、切替作業も不要で製造コストを低減することができる。
【発明を実施するための最良の形態】
【００１０】
以下、図面に基づき本発明の好適な一実施の形態を説明する。  
図１〜図３は本発明の一実施の形態を示している。  
ＬＥＤ式信号灯器１０は、形態は図２および図３に示すとおりであり、商用電源Ｐを整流して信号用の灯光を発するＬＥＤに直流を供給するようにしたものである。ＬＥＤ式信号灯器１０は、通常は青、黄、赤の３組で構成され、それぞれの組は同様の構成をしており、ＬＥＤユニット１１が前面扉１５と筐体１７との間に収納されて成る。
【００１１】
ＬＥＤユニット１１は、ＬＥＤ１２と駆動回路収納部１３と前面レンズ１４とが一体的に構成されて成る。前面扉１５は、ＬＥＤユニット１１の前面レンズ１４を前方に開放する開口部１６を有し、フード１５ａが装着されており、ＬＥＤユニット１１の前面レンズ１４はこの開口部１６で固定されている。前面扉１５と筐体１７は、固結されている。
【００１２】
ＬＥＤユニット１１には、駆動回路２０の基板が装着されており、駆動回路２０は、商用電源Ｐを整流して信号用の灯光を発するＬＥＤ１２に直流を供給するものである。図１でわかるように、駆動回路２０は、商用電源Ｐを整流する全波整流部３０と、定電流部４０とを備え、ＬＥＤ１２は、ＬＥＤ表示基板５０に実装されている。
【００１３】
全波整流部３０は、商用電源Ｐに、抵抗３１とコンデンサ３２とを介して全波整流素子３５が接続されて成る。全波整流素子３５の＋出力は負荷であるＬＥＤ１２の＋側に接続している。なお、図１では、ＬＥＤ１２を簡略化して１個であるように表示されているが、実際は多数のＬＥＤ１２が接続されており、ＬＥＤ１２は、複数を直列にした複数のユニットが並列に接続されている。
【００１４】
定電流部４０は、ツェナーダイオード４１と保護抵抗Ｒとが全波整流部３０の出力に接続され、全波整流部３０の出力を受け、定電圧素子であるツェナーダイオード４１による基準電圧を出力半導体ＴＲ１のベースに印加することにより、ＬＥＤ１２へ電力を供給するものである。
【００１５】
ＬＥＤ表示基板５０には、ＬＥＤ１２は、同じランクのものが実装されており、ＬＥＤ１２のランクに応じて光度調整をするための調整抵抗５１が実装されている。調整抵抗５１は、出力半導体ＴＲ１の出力に介装されている。
【００１６】
次に作用を説明する。  
ＬＥＤ式信号灯器１０は、商用電源Ｐを整流して、信号用の灯光を発するＬＥＤ１２に電力を供給するものである。ＬＥＤ式信号灯器１０では、全波整流部３０で商用電源Ｐが整流され、定電流部４０は、全波整流部３０の出力を受け、定電圧素子であるツェナーダイオード４１による基準電圧を出力半導体ＴＲ１に印加することにより、ＬＥＤ１２へ電力を供給する。
【００１７】
ＬＥＤ表示基板５０には同一のランクのＬＥＤ１２が実装されるので、このＬＥＤ１２のランクに対応して光度調整をするための調整抵抗５１がＬＥＤ表示基板５０に実装されている。
【００１８】
出力半導体ＴＲ１の出力に調整抵抗５１が介装されていて、ＬＥＤ表示基板５０に実装されるＬＥＤ１２のランクに応じて出力半導体ＴＲ１の出力が調整されるので、ＬＥＤ式信号灯器１０の製造にあたり、駆動する回路側での調整は不要である。
【図面の簡単な説明】
【００１９】
【図１】本発明の一実施の形態に係るＬＥＤ式信号灯器の駆動回路およびＬＥＤ表示基板の概念回路図である。
【図２】本発明の一実施の形態に係るＬＥＤ式信号灯器を示す正面図である。
【図３】本発明の一実施の形態に係るＬＥＤ式信号灯器を示す分解側面図である。
【符号の説明】
【００２０】
Ｐ…商用電源
１０…ＬＥＤ式信号灯器
１１…ＬＥＤユニット
１２…ＬＥＤ
１３…駆動回路収納部
１４…前面レンズ
１５…前面扉
２０…駆動回路
３０…全波整流部
４０…定電流部
５０…ＬＥＤ表示基板
５１…調整抵抗
【図１】
2005285531.tif 000003
【図２】
2005285531.tif 000004
【図３】
2005285531.tif 000005